(57)【要約】      （修正有）【課題】多機能型オーディオ・ビデオデータ出力ケーブルを提供する。【解決手段】ＵＳＢアダプタ１、携帯電話用アダプタ、ベース、接続ジャケット及びピンを備え、ＵＳＢアダプタ１が中間ケーブル２を通じて、多機能接続口３に接続し、携帯電話用アダプタの下に多機能接続口３が固定され、多機能接続口の内部においてデコーダ回路板が設けられ、ベースの下表面がデコーダ回路板に固定され、デコーダ回路板の上が携帯電話用アダプタに接続しており、接続ジャケットの上に多機能接続口が設けられ、中間ケーブル２が接続ジャケットの内部において包まれており、ピンが携帯電話用アダプタに均一に分布している。多機能接続口３が設けられることにより、音楽を聴きながら充電しようとするとき、中間ケーブル２の先端に一つ又は複数の多機能接続口３を挿入させることができる。これにより、充電している間に他の機能を効率的に実行することで、充電と、音楽の鑑賞やビデオの伝送やメモリの移送等とを同時に実行することが可能になる。【選択図】図１
0003212158.tif 000002
【実用新案登録請求の範囲】
【請求項１】
ＵＳＢアダプタ（１）、携帯電話用アダプタ（４）、ベース（５）、接続ジャケット（７）及びピン（８）を備える多機能型オーディオ・ビデオデータ出力ケーブルであって、
前記ＵＳＢアダプタ（１）が中間ケーブル（２）を通じて、多機能接続口（３）に接続し、前記携帯電話用アダプタ（４）の下に、多機能接続口（３）が固定され、多機能接続口（３）の内部において、デコーダ回路板（６）が設けられ、前記ベース（５）の下表面が、デコーダ回路板（６）に固定され、デコーダ回路板（６）の上に携帯電話用アダプタ（４）が接続しており、前記接続ジャケット（７）の上に多機能接続口（３）が設けられ、中間ケーブル（２）が接続ジャケット（７）の内部において包まれており、前記ピン（８）が携帯電話用アダプタ（４）に均一に分布している、多機能型オーディオ・ビデオデータ出力ケーブル。
【請求項２】
前記多機能接続口（３）の横断面は六角形である、請求項１に記載の多機能型オーディオ・ビデオデータ出力ケーブル。
【請求項３】
前記携帯電話用アダプタ（４）の先端面が円弧形であり、当該円弧形の両端がいずれも下へ凹み４５°の挟角を形成している、請求項１に記載の多機能型オーディオ・ビデオデータ出力ケーブル。
【請求項４】
前記接続ジャケット（７）の表面は矩形の凹凸を有する、請求項１に記載の多機能型オーディオ・ビデオデータ出力ケーブル。
【請求項５】
前記ピン（８）は、８つ設けられている、請求項１に記載の多機能型オーディオ・ビデオデータ出力ケーブル。
【考案の詳細な説明】
【技術分野】
【０００１】
本考案は、携帯電話部品の技術分野に属し、具体的には、多機能型オーディオ・ビデオデータ出力ケーブルである。
【背景技術】
【０００２】
携帯電話及びその他のモバイルデジタル製品の発達に伴い、より多くの携帯電話等のデジタル製品においては、多機能型外部接続用接続口に設計されるようになった。即ち、一つの接続口は、充電、データの転送、オーディオ・ビデオデータの出力、メモリの移送、映像等の複数の外部接続機能を併せて有するものとなる。現在の市場に流通している外部接続用ケーブルは、充電機能のみ又はデータ伝送機能のみを有するものがほとんどであり、充電すると同時に、データ伝送やメモリ移送といった機能を発揮するとすれば、その他の機能を使用できなくなるため、携帯電話の電力不足の状態下で他の機能を起動させようとしても、複数の機能を同時に実現させることは困難であることから、非常に不便になりかねない。電子製品は、我々の生活に広く使用され不可欠になりつつある昨今、こういった単一機能に制限された使用方法は、人々のニーズに応えられなくなり、改善が必要にある。
【考案の概要】
【考案が解決しようとする課題】
【０００３】
上記背景技術に言及された現在のデータ伝送ケーブルは、単一の機能のみを実現可能であり、このような単一的な使用方法では人々のニーズを満たさない問題を解決するために、本考案は、多機能型オーディオ・ビデオデータ出力ケーブルを提供することを目的としている。
【課題を解決するための手段】
【０００４】
上記目的を実現させるために、本考案は、下記の技術的手段を有する。本考案は、ＵＳＢアダプタ、携帯電話用アダプタ、ベース、接続ジャケット及びピンを備える多機能型オーディオ・ビデオデータ出力ケーブルであって、前記ＵＳＢアダプタが中間ケーブルを通じて、多機能接続口に接続し、前記携帯電話用アダプタの下に、多機能接続口が固定され、多機能接続口の内部において、デコーダ回路板が設けられ、前記ベースの下表面が、デコーダ回路板に固定され、デコーダ回路板の上に携帯電話用アダプタが接続しており、前記接続ジャケットの上に多機能接続口が設けられ、中間ケーブルが接続ジャケットの内部において包まれており、前記ピンが携帯電話用アダプタに均一に分布している。
【０００５】
好適には、前記多機能接続口の横断面は六角形である。
【０００６】
好適には、前記携帯電話用アダプタの先端面が円弧形であり、当該円弧形の両端がいずれも下へ凹み４５°の挟角を形成している。
【０００７】
好適には、前記接続ジャケットの表面は矩形の凹凸を有する。
【０００８】
前記ピンは、８つ設けられている。
【０００９】
従来技術と比べて、本考案は、以下の有益的な効果を有する。当該多機能型オーディオ・ビデオデータ出力ケーブルには、多機能接続口が設けられており、音楽を聴きながら充電しようとするとき、又はビデオを出力させながら充電しようとするときにおいて、中間ケーブルの先端に、一つ又は複数の多機能接続口を挿入させることにより、充電しながら、音楽の鑑賞、ビデオの伝送、メモリの移送等その他の機能を起動させることが可能になる。これにより、ユーザは、携帯電話又はその他の携帯式デジタル製品を通常使用する際に、充電している間に、音楽を鑑賞したり、ビデオを伝送したり、メモリを移送したりすることが可能になる。
【図面の簡単な説明】
【００１０】
【図１】本考案の構造模式図である。
【図２】本考案にかかる携帯電話用アダプタ、ベース及びデコーダ回路板の構造を拡大した模式図である。
【図３】本考案の側面構造模式図である。
【図４】本考案の立体構造模式図である。
【考案を実施するための形態】
【００１１】
以下、本考案の実施例を示す図面を参照し、本考案の実施例の技術的手段について、明りょうかつ完全な説明を行う。また、ここで説明した実施例は、本考案の実施例のすべてではなく、一部に過ぎない。当業者が、本考案の実施例に基づいて、創作的労力を働かずに得られたすべてのその他の実施例はいずれも、本考案の保護範囲に属するものとする。
【００１２】
図１〜図４に示されるように、本考案は、多機能型オーディオ・ビデオデータ出力ケーブルであり、ＵＳＢアダプタ１、携帯電話用アダプタ４、ベース５、接続ジャケット７及びピン８を備えている。ＵＳＢアダプタ１が中間ケーブル２を通じて、多機能接続口３に接続している。多機能接続口３の横断面は六角形であり、頑丈な構造となっている。携帯電話用アダプタ４の下に、多機能接続口３が固定され、携帯電話用アダプタ４の先端面が円弧形であり、当該円弧形の両端がいずれも下へ凹み４５°の挟角を形成しており、デバイスと緊密に接続されている。多機能接続口３の内部において、デコーダ回路板６が設けられ、ベース５の下表面が、デコーダ回路板６に固定され、デコーダ回路板６の上に携帯電話用アダプタ４が接続しており、接続ジャケット７の上に多機能接続口３が設けられている。接続ジャケット７の表面は、矩形の凹凸を有し、滑りにくくなるほか、耐摩耗性に優れている。中間ケーブル２が接続ジャケット７の内部において包まれており、ピン８が携帯電話用アダプタ４に均一に分布している。ピン８は、８つ設けられている。
【００１３】
作動原理は次に示す。当該多機能型オーディオ・ビデオデータ出力ケーブルを使用するとき、本考案の構造について概要的に知っておく必要がある。多機能接続口３は、中間ケーブル２に接続することができる。ベース５と中間ケーブル３とが安定して接続するようになったら、携帯電話用アダプタ４を携帯電話に接続させ、ＵＳＢアダプタ１がその他の携帯式モバイルデバイスに接続する。携帯電話用アダプタ４におけるピン８は、データを伝送する時に互いに絶縁しており、携帯電話用アダプタ４の先端面が円弧形であり、円弧形の両端がいずれも下へ凹み４５°の挟角を形成し、デバイスと緊密に接続しており、容易に抜けたりすることがない。多機能型オーディオ・ビデオデータ出力ケーブルの作動原理は上述したとおりとなる。
【００１４】
上記実施例を参照して本考案について詳細に説明した。当業者が、上記各実施例に記載の技術的手段を変更したり、一部の技術的特徴を均等的に置き換えたりすることは想定され得、また、いかなる変更、均等的な置き替え及び改良は、本考案の技術的思想に属するものであれば、本考案の保護範囲内に属するものとする。
【符号の説明】
【００１５】
１      ＵＳＢアダプタ
２      中間ケーブル
３      多機能接続口
４      携帯電話用アダプタ
５      ベース
６      デコーダ回路板
７      接続ジャケット
８      ピン
【図１】
0003212158.tif 000003
【図２】
0003212158.tif 000004
【図３】
0003212158.tif 000005
【図４】
0003212158.tif 000006